(57)【要約】 【課題】ＰＤＰの高精細化によって輝度が低下するのを防止する。【解決手段】ＰＤＰの前面ガラス基板と背面ガラス基板４の間に、少なくとも列方向に延びて行方向に隣接する放電セルＣ１間を区画する縦壁を有する隔壁１２が設けられ、この隔壁１２の縦壁１２Ｂ，１２Ｃの行方向の幅が、それぞれ、行電極対（Ｘ，Ｙ）を構成する行電極Ｘ側から行電極Ｙ側または行電極Ｙ側から行電極Ｘ側に行くに従って小さくなる形状に成形されている。【選択図】図４
2008059832.tif 000002
【特許請求の範囲】
【請求項１】
放電空間を介して一対の基板が対向され、この一対の基板の一方の基板の内面側に行方向に延び列方向に並設されてそれぞれ表示ラインを形成する複数の行電極対とこの行電極対を被覆する誘電体層が形成され、一対の基板の間に列方向に延び行方向に並設されて行電極対と交差する部分の放電空間にそれぞれ単位発光領域を構成する複数の列電極が設けられたプラズマディスプレイパネルにおいて、
前記一対の基板の間に、少なくとも列方向に延びて行方向に隣接する単位発光領域間を区画する縦壁を有する隔壁が設けられ、
この隔壁の縦壁の行方向の幅が、それぞれ、行電極対を構成する一方の行電極側から他方の行電極側または他方の行電極側から一方の行電極側に行くに従って小さくなる形状に成形されていることを特徴とするプラズマディスプレイパネル。
【請求項２】
前記誘電体層に、行方向に隣接する単位発光領域の間の境界部分に対向する位置において誘電体層から他方の基板側に突出するとともに列方向に延びる嵩上げ誘電体層が形成され、この嵩上げ誘電体層がそれぞれ隔壁の縦壁に対向されて行方向に隣接する単位発光領域間が閉じられている請求項１に記載のプラズマディスプレイパネル。
【請求項３】
前記隔壁の縦壁の行方向の幅の最大値が嵩上げ誘電体層の行方向の幅以上の値に設定され、最小値が嵩上げ誘電体層の行方向の幅以下の値に設定されている請求項２に記載のプラズマディスプレイパネル。
【請求項４】
前記隔壁の縦壁の基板側から見た正面形状が略三角形状である請求項１に記載のプラズマディスプレイパネル。
【請求項５】
前記隔壁の縦壁のうち、行電極対の一方の行電極側の端部の行方向の幅が大きい第１縦壁と、他方の行電極側の端部の行方向の幅が大きい第２縦壁とが、行方向に交互に配置されている請求項１に記載のプラズマディスプレイパネル。
【請求項６】
前記隔壁の縦壁のうち、行電極対の一方の行電極側の端部の行方向の幅が大きい第１縦壁が列方向の同じ列に配列され、他方の行電極側の端部の行方向の幅が大きい第２縦壁が列方向の同じ列に配列されている請求項１に記載のプラズマディスプレイパネル。
【請求項７】
前記隔壁の縦壁のうち、行電極対の一方の行電極側の端部の行方向の幅が大きい第１縦壁と他方の行電極側の端部の行方向の幅が大きい第２縦壁とが、列方向に交互に配置されている請求項１に記載のプラズマディスプレイパネル。
【請求項８】
前記隔壁の縦壁が、行電極対の一方の行電極側と他方の行電極側の双方の端部の行方向の幅が大きく、それぞれ一方の行電極と他方の行電極の中間位置に対向する位置方向に向かってゆくに従って行方向の幅が小さくなる形状を有している請求項１に記載のプラズマディスプレイパネル。
【請求項９】
前記隔壁が、列方向に隣接する単位発光領域間を区画する横壁を有し、この横壁が、行方向に延びる隙間によって列方向に分割されている請求項１に記載のプラズマディスプレイパネル。
【発明の詳細な説明】
【技術分野】
【０００１】
この発明は、プラズマディスプレイパネルの構成に関する。
【背景技術】
【０００２】
図１ないし３は、従来の面放電方式交流型プラズマディスプレイパネル（以下、ＰＤＰという）のセル構造を模式的に示しており、図１はその正面図、図２は図１のＶ−Ｖ線における断面図、図３は図１のＷ−Ｗ線における断面図である。
【０００３】
この図１ないし３のＰＤＰは、前面ガラス基板１の背面側に、行方向に延び列方向に並設されてそれぞれ表示ラインＬを形成する複数の行電極対（Ｘ，Ｙ）とこの行電極対（Ｘ，Ｙ）を被覆する誘電体層２およびこの誘電体層２を被覆する保護層３が形成されている。
【０００４】
この前面ガラス基板１と放電空間Ｓを介して対向する背面ガラス基板４の前面ガラス基板１側の面上に、列方向に延び行方向に並設されて行電極対（Ｘ，Ｙ）と交差する部分の放電空間Ｓにそれぞれ放電セルＣを形成する複数の列電極Ｄと、この列電極Ｄを被覆する列電極保護層５が形成されている。
【０００５】
そして、この列電極保護層５上に、列方向に延びる縦壁６Ａと行方向に延びる横壁６Ｂによって略格子形状に成形された隔壁６が形成されて、この隔壁６によって放電空間Ｓが放電セルＣ毎に行方向と列方向にマトリクス状に区画されている。
【０００６】
各放電セルＣ内には、赤，緑，青の三原色に色分けされた蛍光体層７が、この赤，緑，青の色が列方向に順に並ぶようにそれぞれ形成されている。
【０００７】
上記のＰＤＰは、行電極対（Ｘ，Ｙ）を構成する行電極Ｘ，Ｙと列電極Ｄによって、全放電セルＣを初期化するリセット放電と、発光させる放電セルＣを選択するためのアドレス放電を行い、この後、このアドレス放電によって選択された発光セル（誘電体層２に壁電荷が形成された放電セル）内においてサステイン放電を発生させ、このサステイン放電によって放電空間Ｓ内に封入されている放電ガスから発生される真空紫外線により、各放電セルＣの赤，緑，青に色分けされた蛍光体層７を励起して発光させることによって、マトリクス表示による画像を形成する。
【０００８】
このような画像形成時において、隔壁６は、行方向および列方向においてそれぞれ隣接する放電セルＣ間での放電の干渉による誤放電の発生を防止する機能を有している。
【０００９】
上記のような構成のＰＤＰにおいて、画面の輝度は、各放電セルＣの開口面積、すなわち、各放電セルＣ内に形成されている蛍光体層７の面積によって設定される。
【００１０】
近年、ＰＤＰの画面の高精細化が進んでいる。
【００１１】
ＰＤＰにおいては、同じ大きさの画面サイズの場合、高精細化によって画素数が多くなるほど、一個当たりの放電セルＣの開口面積が小さくなって、輝度が低下する。
【００１２】
そして、上記のような従来のＰＤＰにおいては、放電セルＣの開口面積が小さくなるほど、パネル面における隔壁６の正面面積の占める割合が大きくなって、画面の輝度低下をさらに増加させるという問題が生じている。
【００１３】
この従来のＰＤＰにおいて、画面の高精細化に伴う各放電セルＣの開口面積の減少を少なくするために、隔壁６の幅を小さくすることも考えられるが、この隔壁６の強度を保つためには一定の幅が必要であるため、隔壁６の幅を小さくすることによって放電セルＣの開口面積の減少を少なくすることには限度がある。
【発明の開示】
【発明が解決しようとする課題】
【００１４】
この発明は、上記のような放電空間を放電セル毎に区画する隔壁を有するＰＤＰにおける問題点を解決することをその解決課題の一つとしている。
【課題を解決するための手段】
【００１５】
この発明によるＰＤＰは、上記課題を達成するために、放電空間を介して一対の基板が対向され、この一対の基板の一方の基板の内面側に行方向に延び列方向に並設されてそれぞれ表示ラインを形成する複数の行電極対とこの行電極対を被覆する誘電体層が形成され、一対の基板の間に列方向に延び行方向に並設されて行電極対と交差する部分の放電空間にそれぞれ単位発光領域を構成する複数の列電極が設けられたプラズマディスプレイパネルにおいて、前記一対の基板の間に、少なくとも列方向に延びて行方向に隣接する単位発光領域間を区画する縦壁を有する隔壁が設けられ、この隔壁の縦壁の行方向の幅が、それぞれ、行電極対を構成する一方の行電極側から他方の行電極側または他方の行電極側から一方の行電極側に行くに従って小さくなる形状に成形されていることを特徴としている。
【発明を実施するための最良の形態】
【００１６】
この発明は、前面基板と背面基板が放電空間を介して対向され、前面基板の内面側に行方向に延び列方向に並設されてそれぞれ表示ラインを形成する複数の行電極対とこの行電極対を被覆する誘電体層が形成され、背面基板の内面側に列方向に延び行方向に並設されて行電極対と交差する部分の放電空間にそれぞれ放電セルを構成する複数の列電極が設けられ、前面基板と背面基板の間に、列方向に延びて行方向に隣接する放電セル間を区画する縦壁を有する隔壁が設けられ、この隔壁の縦壁の行方向の幅が、それぞれ、行電極対を構成する一方の行電極側から他方の行電極側または他方の行電極側から一方の行電極側に行くに従って小さくなる形状に成形されているＰＤＰをその最良の実施形態としている。
【００１７】
この実施形態によるＰＤＰは、放電空間を放電セル毎に区画する縦壁が、それぞれ前面基板側から見た正面形状が、行電極対の一方の行電極側から他方の行電極側または他方の行電極側から一方の行電極側に向かって、行方向の幅が狭まる形状、例えば二等辺三角形状等の略三角形状に成形されていることによって、縦壁を例えば略三角形状の底辺の幅とほぼ同じ均一幅で縦壁が形成されている場合と比べて、縦壁の正面面積を小さくすることが出来、これによって、従来の同じ画面サイズのＰＤＰと比べて、各放電セルの開口面積を大きくして画面の輝度を増加させることが出来るようになり、そして、これによって、画面の高精細化に伴って画素数が増加する場合の輝度低下を従来のＰＤＰよりも少なくすることができるので、高輝度の画像を形成することが出来るようになる。
【００１８】
上記実施形態のＰＤＰにおいて、誘電体層に、行方向に隣接する放電セルの間の境界部分に対向する位置において誘電体層から他方の基板側に突出するとともに列方向に延びる嵩上げ誘電体層を形成し、この嵩上げ誘電体層がそれぞれ隔壁の縦壁に対向されて行方向に隣接する放電セル間が閉じられているようにするのが好ましく、さらに、縦壁の行方向の幅の最大値が嵩上げ誘電体層の行方向の幅以上の値に設定し、最小値が嵩上げ誘電体層の行方向の幅以下の値に設定するようにするのが好ましい。
【００１９】
これによって、必要な強度を保持しながら縦壁の正面面積を従来の隔壁の縦壁の正面面積よりも小さくすることが出来るようになる。
【００２０】
前記実施形態のＰＤＰにおいて、縦壁の配置形態としては、行電極対の一方の行電極側の端部の行方向の幅が大きい第１縦壁と他方の行電極側の端部の行方向の幅が大きい第２縦壁とが行方向に交互に配置されている形態や、第１縦壁が列方向の同じ列に配列されているとともに第２縦壁が列方向の同じ列に配列されている形態，第１縦壁と第２縦壁とが列方向に交互に配置されている形態等があり、特に第１縦壁と第２縦壁とが列方向に交互に配置されている形態の場合、列方向において同じ色の蛍光体層が並ぶ場合に、開口部の形状が異なる放電セルが列方向に交互に配置されることによって、バランスの良い発光を行うことが出来るようになる。
【００２１】
さらに、縦壁の形態としては、行電極対の一方の行電極側と他方の行電極側の双方の端部の行方向の幅が大きく、それぞれ一方の行電極と他方の行電極の中間位置に対向する位置方向に向かってゆくに従って行方向の幅が小さくなる形態のものがあり、この形態の場合には、放電セルの中央位置のプラズマ放電が発生する部分の行方向の幅が最大限になるため、これによって、画面の輝度を従来のＰＤＰに比べてさらに向上させることが出来るようになる。
【００２２】
さらに、隔壁の形態としては、列方向に隣接する放電セル間を区画する横壁を有し、この横壁が行方向に延びる隙間によって列方向に分割されている形態のものが挙げられ、この形態の隔壁は、軽量化が可能になるとともに、パネルの製造工程において隔壁全体の加工精度を得易くなる。
【実施例１】
【００２３】
図４および５は、この発明の実施形態におけるＰＤＰの第１実施例を示しており、図４はこの第１実施例のＰＤＰの正面図であり、図５は図４のＶ−Ｖ線における断面図である。
【００２４】
この図４および５において、表示面を構成する前面ガラス基板１の背面上に、行方向に延びる複数の行電極対（Ｘ，Ｙ）が、前面ガラス基板１の列方向（図４の上下方向）に並設されている。
【００２５】
この行電極対（Ｘ，Ｙ）を構成する行電極ＸとＹは、それぞれ、前面ガラス基板１の行方向に延びる金属膜からなるバス電極Ｘａ，Ｙａと、このバス電極Ｘａ，Ｙａの等間隔位置に接続されたＩＴＯ等の透明導電膜からなる略Ｔ字形状の透明電極Ｘｂ，Ｙｂとから構成され、この透明電極ＸｂとＹｂは、それぞれ、互いに対になっている相手の透明電極側に延びて放電ギャップｇを介して対向されている。
【００２６】
前面ガラス基板１の背面上には、さらに、誘電体層２が形成されて、この誘電体層２によって行電極対（Ｘ，Ｙ）が被覆されている。
【００２７】
以上の構成については、前述した図１ないし３の従来のＰＤＰの構成と同様であり、同一の構成部分については、図１ないし３と同一の符号が付されている。
【００２８】
誘電体層２の背面側には、行方向において隣接する透明電極Ｘｂの間および透明電極Ｙｂの間の中間位置に対向する位置に、列方向に延びるとともに誘電体層２の背面から突出する嵩上げ誘電体層１０がそれぞれ形成されている。
【００２９】
そして、この誘電体層２と嵩上げ誘電体層１０は、誘電体層２の背面側に形成された酸化マグネシウム（ＭｇＯ）からなる保護層１１によって被覆されている。
【００３０】
この前面ガラス基板１に対して、背面ガラス基板４が放電空間を介して平行に対向されており、この背面ガラス基板４の放電空間側の面上に、列電極Ｄが、各行電極対（Ｘ，Ｙ）の互いに対になった透明電極ＸｂとＹｂに対向する位置において列方向に延びるように、互いに所定の間隔を開けて並設されている。
【００３１】
そして、背面ガラス基板４上に列電極保護層（誘電体層）５が形成されて、この列電極保護層５によって列電極Ｄが被覆されている。
【００３２】
背面ガラス基板４側の以上の構成については、前述した図１ないし３の従来のＰＤＰとほぼ同様であり、同一の構成部分については図１ないし３と同一の符号が付されている。
【００３３】
列電極保護層５上には、下記のような略格子形状の隔壁１２が形成されており、この隔壁１２によって、前面ガラス基板１と背面ガラス基板４の間の放電空間が、行電極対（Ｘ，Ｙ）と列電極Ｄが交差する部分に形成される放電セルＣ１毎に区画されている。
【００３４】
すなわち、この隔壁１２は、隣接する行電極対（Ｘ，Ｙ）の互いに背中合わせに位置するバス電極ＸａとＹａおよびこのバス電極ＸａとＹａの間の領域部分に対向する位置において、それぞれ行方向に延びる複数の横壁１２Ａと、隣接する列電極Ｄの間の中間位置に対向する位置（嵩上げ誘電体層１０に対向する位置）において、横壁１２Ａの間をそれぞれ列方向に延びる複数の縦壁１２Ｂおよび１２Ｃとによって構成されている。
【００３５】
そして、縦壁１２Ｂは、前面ガラス基板１側から見た正面形状が、図４から分かるように、バス電極Ｘａ側（図４において上側）の端部の行方向の幅ａが嵩上げ誘電体層１０の行方向の幅ｂよりも広く、この行方向の幅がバス電極Ｙａ側（図４において下側）にゆくほど小さくなる二等辺三角形状に成形されている。
【００３６】
縦壁１２Ｃは、縦壁１２Ｂと反対に、前面ガラス基板１側から見た正面形状が、バス電極Ｙａ側（図４において下側）の端部の行方向の幅ａが嵩上げ誘電体層１０の行方向の幅ｂよりも広く、この行方向の幅がバス電極Ｘａ側（図４において上側）にゆくほど小さくなる二等辺三角形状に成形されている。
【００３７】
さらに、この縦壁１２Ｂと１２Ｃは、行方向に交互に配置されているとともに、列方向には縦壁１２Ｂ同士または縦壁１２Ｃ同士が一列に並ぶように配置されている。
【００３８】
そして、隔壁１２の縦壁１２Ｂ，１２Ｃは、その上面がそれぞれ保護層１１を介して嵩上げ誘電体層１０に当接されている。
【００３９】
各放電セルＣ１内には、それぞれ、列電極保護層５上および隔壁１２の横壁１２Ａと縦壁１２Ｂ，１２Ｃの側面を覆うように、赤，緑，青の三原色に色分けされた蛍光体層１３が、この赤，緑，青の色が列方向に順に並ぶようにそれぞれ形成されている。
【００４０】
前面ガラス基板１と背面ガラス基板４の間の放電空間内には、キセノンを含む放電ガスが封入されている。
【００４１】
このＰＤＰの画像形成時の駆動は、前述した従来のＰＤＰの場合と同様であり、各放電セルＣ１内において、行電極対（Ｘ，Ｙ）を構成する行電極ＸとＹ間または行電極Ｙと列電極Ｄ間で、全放電セルＣ１を初期化するリセット放電が行われ、次に、行電極Ｙと列電極Ｄ間で、発光させる放電セルＣ１を選択するためのアドレス放電が選択的に行われ、この後、アドレス放電によって選択された発光セル（誘電体層２に壁電荷が形成された放電セル）内において行電極対（Ｘ，Ｙ）の行電極ＸとＹ間でサステイン放電が発生されて、このサステイン放電によって放電空間内に封入されている放電ガスから真空紫外線が発生され、この真空紫外線によって各放電セルＣ１の赤，緑，青に色分けされた蛍光体層１３が励起されて発光することにより、マトリクス表示による画像が形成される。
【００４２】
上記ＰＤＰは、縦壁１２Ｂと１２Ｃの前面ガラス基板１側から見た正面形状が、それぞれ、底辺の長さがａで頂点部分の行方向の幅がほぼ０に近い略二等辺三角形に成形されていることによって、製造上のマージンをα（０≦α≦ａ／２）とした場合に、この縦壁１２Ｂ，１２Ｃのそれぞれの行方向の幅の平均値が、 ａ／２＋αとなる。
【００４３】
このため、縦壁１２Ｂ，１２Ｃの前面ガラス基板１側から見た正面面積は、各縦壁の行方向の幅が列方向に沿って幅ａで均一に形成される場合と比べて、約二分の一になり、画面サイズが同じ場合、縦壁の設置面積が小さくなる分だけ、放電セルＣ１の開口面積が従来のＰＤＰに比べて大きくなる。
【００４４】
なお、各放電セルＣ１の開口部の形状は、縦壁１２Ｂと１２Ｃが行方向に交互に配置されていることによって平行四辺形となり、行方向に隣接する透明電極Ｘｂ間および透明電極Ｙｂ間の間隔をｃとすると（図４参照）、上記のように製造上のマージンαが０≦α≦ａ／２の場合には、各放電セルＣ１の開口部の行方向の幅ｗは、列方向の全域において、ほぼｗ＝ｃ−ａ＋αとなる。
【００４５】
また、放電セルＣ１の上辺と下辺が行方向にａ／２ずれている。
【００４６】
以上のように、上記ＰＤＰは、縦壁１２Ｂ，１２Ｃの前面ガラス基板１側から見た正面形状が行電極対（Ｘ，Ｙ）の一方の行電極側から他方の行電極側に向かって行方向の幅が小さくなるように成形されているとともに、この縦壁１２Ｂ，１２Ｃの行方向の最大幅が、対向する嵩上げ誘電体層１０の行方向の幅よりも大きい寸法に設定されていることによって、必要な強度を保持しながら縦壁１２Ｂ，１２Ｃの正面面積を従来の隔壁の縦壁の正面面積よりも小さくすることが出来、これによって、従来の同じ画面サイズのＰＤＰと比べて、各放電セルＣ１の開口面積を大きくすることができるので、画面の輝度を増加させることが出来るようになる。
【００４７】
そして、このように、放電セルＣ１の開口面積が従来の同じ画面サイズのＰＤＰに比べて大きくなることによって、画面の高精細化に伴って画素数が増加する場合の輝度低下を従来のＰＤＰよりも少なくすることができ、高輝度の画像を形成することが出来るようになる。
【００４８】
図６は、上記ＰＤＰの嵩上げ誘電体層１０と縦壁１２Ｂ，１２Ｃとの位置合わせの状態を示している。
【００４９】
この図６において、前述したように互いに当接される縦壁１２Ｂ，１２Ｃと嵩上げ誘電体層１０は、前面ガラス基板１と背面ガラス基板４が重ね合わせられる際に、互いの中心線が一致するように位置合わせされるが、前面ガラス基板１と背面ガラス基板４の重ね合わせ位置のずれによって、破線で示されるように、縦壁１２Ｂ，１２Ｃが嵩上げ誘電体層１０に対して行方向にずれてしまう場合がある。
【００５０】
この場合、上記ＰＤＰでは、破線で示されるずれ位置の縦壁１２Ｂ，１２Ｃと嵩上げ誘電体層１０とが重なり合う面積が、この縦壁１２Ｂ，１２Ｃが三角形状に成形されていることによって、行方向へのずれ幅ｍが同一の場合に、図７に示される従来のＰＤＰの破線で示されるずれ位置の隔壁６と嵩上げ誘電体層１０との重なり面積と比べて、大きくなる。
【００５１】
これによって、上記ＰＤＰは、従来のＰＤＰに比べて、行方向へのずれの許容量が大きくなるとともに、前面ガラス基板１と背面ガラス基板４の重ね合わせ位置がずれた場合の縦壁１２Ｂ，１２Ｃと嵩上げ誘電体層１０の当接部分の強度を、従来のＰＤＰに比べて強く保つことが出来る。
【実施例２】
【００５２】
図８は、この発明の実施形態におけるＰＤＰの第２実施例を示す正面図である。
【００５３】
この第２実施例におけるＰＤＰの隔壁２２は、隣接する行電極対（Ｘ，Ｙ）の互いに背中合わせに位置するバス電極ＸａとＹａおよびこのバス電極ＸａとＹａの間の領域部分に対向する位置において、それぞれ行方向に延びる複数の横壁２２Ａと、隣接する列電極Ｄの間の中間位置に対向する位置において、横壁２２Ａの間をそれぞれ列方向に延びる複数の縦壁２２Ｂおよび２２Ｃとによって、略格子形状に成形されている。
【００５４】
この縦壁２２Ｂは、前面ガラス基板側から見た正面形状が、バス電極Ｘａ側（図８において上側）の端部の行方向の幅ａが嵩上げ誘電体層１０の行方向の幅ｂよりも広く、この行方向の幅がバス電極Ｙａ側（図８において下側）にゆくほど小さくなる二等辺三角形状に成形されている。
【００５５】
縦壁２２Ｃは、縦壁２２Ｂと反対に、前面ガラス基板側から見た正面形状が、バス電極Ｙａ側（図８において下側）の端部の行方向の幅ａが嵩上げ誘電体層１０の行方向の幅ｂよりも広く、この行方向の幅がバス電極Ｘａ側（図８において上側）にゆくほど小さくなる二等辺三角形状に成形されている。
【００５６】
そして、この隔壁２２の縦壁２２Ｂと２２Ｃは、行方向に交互に配置されているとともに、第１実施例の場合と異なり、列方向においても交互に位置するように配置されており、隔壁２２によって区画された放電セルＣ２とＣ３は、それぞれ、互いに逆向きの傾きを有する平行四辺形状の開口面を有している。
【００５７】
他の部分の構成は第１実施例の場合と同様であり、同一の構成部分については、図８において図４と同一の符号が付されている。
【００５８】
上記ＰＤＰは、前述した第１実施例の場合と同様に、縦壁２２Ｂ，２２Ｃの前面ガラス基板側から見た正面形状が行電極対（Ｘ，Ｙ）の一方の行電極側から他方の行電極側に向かって行方向の幅が狭まるように成形されているとともに、この縦壁２２Ｂ，２２Ｃの行方向の最大幅が、対向する嵩上げ誘電体層１０の行方向の幅よりも大きい寸法に設定されていることによって、必要な強度を保持しながら縦壁２２Ｂ，２２Ｃの正面面積を従来の隔壁の縦壁の正面面積よりも小さくすることが出来、これによって、従来の同じ画面サイズのＰＤＰと比べて、各放電セルＣ２，Ｃ３の開口面積を大きくすることができるので、画面の輝度を増加させることが出来、また、画面の高精細化に伴って画素数が増加する場合の輝度低下を従来のＰＤＰよりも少なくして、高輝度の画像を形成することが出来るようになる。
【００５９】
さらに、上記ＰＤＰは、前述した第１実施例の場合と同様に、前面ガラス基板と背面ガラス基板の重ね合わせ位置のずれによって、縦壁２２Ｂ，２２Ｃが嵩上げ誘電体層１０に対して行方向にずれてしまった場合に、ずれ位置にある縦壁２２Ｂ，２２Ｃと嵩上げ誘電体層１０とが重なり合う面積が、この縦壁２２Ｂ，２２Ｃが三角形状に成形されていることによって、行方向へのずれ幅が同一の場合に、従来のＰＤＰの破線で示されるずれ位置の隔壁と嵩上げ誘電体層との重なり面積と比べて大きくなり、これによって、従来のＰＤＰに比べて、行方向へのずれの許容量が大きくなるとともに、前面ガラス基板と背面ガラス基板の重ね合わせ位置がずれた場合の縦壁２２Ｂ，２２Ｃと嵩上げ誘電体層１０の当接部分の強度を、従来のＰＤＰに比べて強く保つことが出来る。
【００６０】
そして、上記ＰＤＰは、行方向の幅が変化する方向が逆の縦壁２２Ｂと２２Ｃが列方向に交互に配置されていることによって、傾きが逆向きの放電セルＣ２とＣ３が列方向において交互に配置され、これによって、列方向に同じ色の蛍光体層が配列される場合に、隣接する表示ラインにおいて同じ色の蛍光体層が放電セルＣ２とＣ３に形成されてバランスされるので、赤，緑，青の各色のバランスを均等にすることが出来る。
【実施例３】
【００６１】
図９は、この発明の実施形態におけるＰＤＰの第３実施例を示す正面図である。
【００６２】
この第３実施例におけるＰＤＰの隔壁３２は、各行電極対（Ｘ，Ｙ）毎に、それぞれ行電極Ｘ，Ｙのバス電極Ｘａ，Ｙａに対向する位置において行方向に延びる一対の横壁３２Ａと、隣接する列電極Ｄの間の中間位置に対向する位置において、一対の横壁３２Ａの間をそれぞれ列方向に延びる複数の縦壁３２Ｂおよび３２Ｃとによって、略梯子形状に成形されている。
【００６３】
そして、隣接する隔壁３２の互いに背中合わせに位置する横壁３２Ａの間に隙間ＳＬが形成されている。
【００６４】
この隔壁３２の縦壁３２Ｂは、前面ガラス基板側から見た正面形状が、バス電極Ｘａ側（図９において上側）の端部の行方向の幅ａが嵩上げ誘電体層１０の行方向の幅ｂよりも広く、この行方向の幅がバス電極Ｙａ側（図９において下側）にゆくほど小さくなる二等辺三角形状に成形されている。
【００６５】
縦壁３２Ｃは、縦壁２２Ｂと反対に、前面ガラス基板側から見た正面形状が、バス電極Ｙａ側（図９において下側）の端部の行方向の幅ａが嵩上げ誘電体層１０の行方向の幅ｂよりも広く、この行方向の幅がバス電極Ｘａ側（図９において上側）にゆくほど小さくなる二等辺三角形状に成形されている。
【００６６】
そして、この隔壁３２の縦壁３２Ｂと３２Ｃは、前述した第２実施例の場合と同様に、行方向に交互に配置されているとともに、列方向においても交互に位置するように配置されており、隔壁３２によって区画された放電セルＣ２とＣ３は、それぞれ、互いに逆向きの傾きを有する平行四辺形状の開口面を有している。
【００６７】
他の部分の構成は第２実施例の場合と同様であり、同一の構成部分については、図９において図８と同一の符号が付されている。
【００６８】
上記ＰＤＰは、前述した第２実施例の場合と同様に、縦壁３２Ｂ，３２Ｃの前面ガラス基板側から見た正面形状が行電極対（Ｘ，Ｙ）の一方の行電極側から他方の行電極側に向かって行方向の幅が狭まるように成形されているとともに、この縦壁３２Ｂ，３２Ｃの行方向の最大幅が、対向する嵩上げ誘電体層１０の行方向の幅よりも大きい寸法に設定されていることによって、必要な強度を保持しながら縦壁３２Ｂ，３２Ｃの正面面積を従来の隔壁の縦壁の正面面積よりも小さくすることが出来、これによって、従来の同じ画面サイズのＰＤＰと比べて、各放電セルＣ２，Ｃ３の開口面積を大きくすることができるので、画面の輝度を増加させることが出来、また、画面の高精細化に伴って画素数が増加する場合の輝度低下を従来のＰＤＰよりも少なくして、高輝度の画像を形成することが出来るようになる。
【００６９】
さらに、上記ＰＤＰは、前述した第２実施例の場合と同様に、前面ガラス基板と背面ガラス基板の重ね合わせ位置のずれによって、縦壁３２Ｂ，３２Ｃが嵩上げ誘電体層１０に対して行方向にずれてしまった場合に、ずれ位置にある縦壁３２Ｂ，３２Ｃと嵩上げ誘電体層１０とが重なり合う面積が、この縦壁３２Ｂ，３２Ｃが三角形状に成形されていることによって、行方向へのずれ幅が同一の場合に、従来のＰＤＰの破線で示されるずれ位置の隔壁と嵩上げ誘電体層との重なり面積と比べて大きくなり、これによって、従来のＰＤＰに比べて、行方向へのずれの許容量が大きくなるとともに、前面ガラス基板と背面ガラス基板の重ね合わせ位置がずれた場合の縦壁３２Ｂ，３２Ｃと嵩上げ誘電体層１０の当接部分の強度を、従来のＰＤＰに比べて強く保つことが出来る。
【００７０】
そして、上記ＰＤＰは、行方向の幅が変化する方向が逆の縦壁３２Ｂと３２Ｃが列方向に交互に配置されていることによって、傾きが逆向きの放電セルＣ２とＣ３が列方向において交互に配置され、これによって、列方向に同じ色の蛍光体層が配列される場合に、隣接する表示ラインにおいて同じ色の蛍光体層が放電セルＣ２とＣ３に形成されてバランスされるので、赤，緑，青の各色のバランスを均等にすることが出来る。
【００７１】
さらに、上記ＰＤＰは、隔壁３２を構成する横壁３２Ａが、バス電極ＸａまたはＹａに対向する部分にのみ形成されて、背中合わせに位置する横壁３２Ａ間に隙間ＳＬが形成されていることにより、隔壁３２を軽量化出来るとともに、パネルの製造工程において、隔壁全体の加工精度を得易いという効果を有している。
【実施例４】
【００７２】
図１０は、この発明の実施形態におけるＰＤＰの第４実施例を示す正面図である。
【００７３】
この第４実施例におけるＰＤＰの隔壁４２は、隣接する行電極対（Ｘ，Ｙ）の互いに背中合わせに位置するバス電極ＸａとＹａおよびこのバス電極ＸａとＹａの間の領域部分に対向する位置において、それぞれ行方向に延びる複数の横壁４２Ａと、隣接する列電極Ｄの間の中間位置に対向する位置において、横壁４２Ａの間をそれぞれ列方向に延びる複数の縦壁４２Ｂとによって、略格子形状に成形されている。
【００７４】
この隔壁４２の各縦壁４２Ｂは、前面ガラス基板側から見た正面形状が、バス電極Ｘａ側とバス電極Ｙａ側の端部の行方向の幅ａが、それぞれ、嵩上げ誘電体層１０の行方向の幅ｂよりも広く、この行方向の幅が、バス電極ＸａとＹａの間の中央位置に対向する位置に向かって連続的に小さくなっている形状、すなわち、列方向において二個の二等辺三角形がバス電極ＸａとＹａの間の中央位置に対向する位置において頂角を互いに付き合わせた形状に成形されている。
【００７５】
そして、この隔壁４２によって区画された放電セルＣ４は、それぞれ、六角形状の開口面を有している。
【００７６】
他の部分の構成は第１実施例の場合と同様であり、同一の構成部分については、図１０において図４と同一の符号が付されている。
【００７７】
上記ＰＤＰは、隔壁４２の縦壁４２Ｂの前面ガラス基板側から見た正面形状が、バス電極Ｘａ側とバス電極Ｙａ側の端部の行方向の幅ａがバス電極ＸａとＹａの間の中央位置に対向する位置に向かって連続的に小さくなる形状に成形されているとともに、この縦壁４２Ｂの両端部の行方向の最大幅が、対向する嵩上げ誘電体層１０の行方向の幅よりも大きい寸法に設定されていることによって、必要な強度を保持しながら縦壁４２Ｂの正面面積を従来の隔壁の縦壁の正面面積よりも小さくすることが出来、これによって、従来の同じ画面サイズのＰＤＰと比べて、各放電セルＣ４の開口面積を大きくすることができるので、画面の輝度を増加させることが出来、また、画面の高精細化に伴って画素数が増加する場合の輝度低下を従来のＰＤＰよりも少なくして、高輝度の画像を形成することが出来るようになる。
【００７８】
さらに、上記ＰＤＰは、前面ガラス基板と背面ガラス基板の重ね合わせ位置のずれによって、縦壁４２Ｂが嵩上げ誘電体層１０に対して行方向にずれてしまった場合に、ずれ位置にある縦壁４２Ｂと嵩上げ誘電体層１０とが重なり合う面積が、この縦壁４２Ｂが二個の三角形を列方向に配列した形状に成形されていることによって、行方向へのずれ幅が同一の場合に、従来のＰＤＰと比べてずれ位置にある縦壁４２Ｂと嵩上げ誘電体層１０との重なり面積が大きくなり、これによって、従来のＰＤＰに対して行方向へのずれの許容量が大きくなるとともに、前面ガラス基板と背面ガラス基板の重ね合わせ位置がずれた場合の縦壁４２Ｂと嵩上げ誘電体層１０の当接部分の強度を、従来のＰＤＰに比べて強く保つことが出来る。
【００７９】
さらに、上記ＰＤＰは、各放電セルＣ４の開口部が六角形状に形成されており、行方向に隣接する透明電極Ｘｂ間および透明電極Ｙｂ間の間隔をｃとすると、製造上のマージンαが０≦α≦ａ／２の場合、放電セルＣ４の開口部の上端縁および下端縁の行方向の幅ｗ１はｃ−ａとなり、中央部（放電ギャップｇに対向する部分の列方向の幅ｖの部分）の行方向の幅ｗ２はｃ−α（＞ｗ１）となることにより、放電セルＣ４において、中央部のプラズマ放電が発生する放電ギャップｇに対向する部分の行方向の幅が最大限になるため、これによって、画面の輝度を従来のＰＤＰに比べてさらに向上させることが出来る。
【００８０】
上記各実施例のＰＤＰは、前面基板と背面基板が放電空間を介して対向され、前面基板の内面側に行方向に延び列方向に並設されてそれぞれ表示ラインを形成する複数の行電極対とこの行電極対を被覆する誘電体層が形成され、背面基板の内面側に列方向に延び行方向に並設されて行電極対と交差する部分の放電空間にそれぞれ放電セルを構成する複数の列電極が設けられ、前面基板と背面基板の間に、列方向に延びて行方向に隣接する放電セル間を区画する縦壁を有する隔壁が設けられ、この隔壁の縦壁の行方向の幅が、それぞれ、行電極対を構成する一方の行電極側から他方の行電極側または他方の行電極側から一方の行電極側に行くに従って小さくなる形状に成形されている実施形態のＰＤＰを、その上位概念の実施形態としている。
【００８１】
この上位概念を構成する実施形態のＰＤＰは、放電空間を放電セル毎に区画する縦壁が、それぞれ前面基板側から見た正面形状が、行電極対の一方の行電極側から他方の行電極側または他方の行電極側から一方の行電極側向かって、行方向の幅が狭まる形状、例えば二等辺三角形状等の略三角形状に成形されていることによって、縦壁を例えば略三角形状の底辺の幅とほぼ同じ均一幅で縦壁が形成されている場合と比べて、縦壁の正面面積を小さくすることが出来、これによって、従来の同じ画面サイズのＰＤＰと比べて、各放電セルの開口面積を大きくすることができるので、画面の輝度を増加させることが出来るようになり、そして、これによって、画面の高精細化に伴って画素数が増加する場合の輝度低下を従来のＰＤＰよりも少なくすることができるので、高輝度の画像を形成することが出来るようになる。
【図面の簡単な説明】
【００８２】
【図１】従来のＰＤＰの構成を示す正面図である。
【図２】図１のＶ−Ｖ線における断面図である。
【図３】図１のＷ−Ｗ線における断面図である。
【図４】この発明の第１実施例のＰＤＰを示す正面図である。
【図５】図４のＶ１−Ｖ１線における断面図である。
【図６】同実施例において縦壁と嵩上げ誘電体層のずれの状態を示す説明図である。
【図７】従来例における縦壁と嵩上げ誘電体層のずれの状態を示す比較説明図である。
【図８】この発明の第２実施例のＰＤＰを示す正面図である。
【図９】この発明の第３実施例のＰＤＰを示す正面図である。
【図１０】この発明の第４実施例のＰＤＰを示す正面図である。
【符号の説明】
【００８３】
１            …前面ガラス基板（基板）
２            …誘電体層
４            …背面ガラス基板（基板）
１０          …嵩上げ誘電体層
１２，２２，３２，４２          …隔壁
１２Ａ，２２Ａ，３２Ａ          …横壁
１２Ｂ，２２Ｂ，３２Ｂ，４２Ｂ  …縦壁（第１縦壁）
１２Ｃ，２２Ｃ，３２Ｃ          …縦壁（第２縦壁）
１３          …蛍光体層
４２Ｂ        …縦壁
Ｃ１，Ｃ２，Ｃ３，Ｃ４          …放電セル（単位発光領域）
Ｄ            …列電極
ＳＬ          …隙間
Ｘ，Ｙ        …行電極
Ｘａ，Ｙａ    …バス電極
Ｘｂ，Ｙｂ    …透明電極
【図１】
2008059832.tif 000003
【図２】
2008059832.tif 000004
【図３】
2008059832.tif 000005
【図４】
2008059832.tif 000006
【図５】
2008059832.tif 000007
【図６】
2008059832.tif 000008
【図７】
2008059832.tif 000009
【図８】
2008059832.tif 000010
【図９】
2008059832.tif 000011
【図１０】
2008059832.tif 000012